(57)【要約】【課題】新たな閲覧スタイルのフォトブックを提供することを目的とする。【解決手段】画像データからフォトブックを作成するフォトブック作成方法であって、中央部から両側に見開きできるミシン目が形成される用紙の表面に、画像を左右に入れ替えずに配置し、前記用紙の裏面に、１つの画像を分割して左右を入れ替えて前記分割部の左右に配置する配置ステップを有する。【選択図】図１
2014208415.tif 000002
【特許請求の範囲】
【請求項１】
画像データからフォトブックを作成するフォトブック作成方法であって、
中央部から両側に見開きできる分割部が形成される用紙の表面に、画像を左右に入れ替えずに配置し、前記用紙の裏面に、１つの画像を分割して左右を入れ替えて前記分割部の左右に配置する配置ステップと、
を有することを特徴とするフォトブック作成方法。
【請求項２】
用紙の左右の両端を綴じる綴じステップをさらに有し、
前記配置ステップにおいて、画像データを３分割し、前記３分割した画像のうちの中央の画像データをあるページの表面に配置し、前記３分割した画像データのうちの両端の２つの画像データを前記あるページの前のページの裏面に左右を入れ替えて配置し、
前記綴じステップにおいて、前記配置ステップにおいて画像データが配置された用紙の両端を綴じることを特徴とする請求項１に記載のフォトブック作成方法。
【請求項３】
前記配置ステップにおいて、前記用紙の前記分割部の位置に応じて前記画像データを３分割する位置を変えることを特徴とする請求項１または２に記載のフォトブック作成方法。
【請求項４】
前記画像データに含まれるオートフォーカス情報に基づいて、前記画像データの合焦している被写体の位置情報を取得し、
前記配置ステップにおいて、前記被写体の配置の位置を変更することを特徴とする請求項１から３のいずれか１項に記載のフォトブック作成方法。
【請求項５】
前記配置ステップにおいて、前記合焦している被写体が前記分割部にかからないように、前記合焦している被写体の位置を変更することを特徴とする請求項４に記載のフォトブック作成方法。
【請求項６】
画像データからフォトブックを作成するフォトブック作成装置であって、
中央部から両側に見開きできる分割部が形成される用紙の表面に、画像を左右に入れ替えずに配置し、前記用紙の裏面に、１つの画像を分割して左右を入れ替えて前記分割部の左右に配置する配置手段
を有することを特徴とするフォトブック作成装置。
【請求項７】
用紙の左右の両端を綴じる綴じ手段をさらに有し、
前記配置手段は、画像データを３分割し、前記３分割した画像のうちの中央の画像データをあるページの表面に配置し、前記３分割した画像データのうちの両端の２つの画像データを前記あるページの前のページの裏面に左右を入れ替えて配置し、
前記綴じ手段は、画像データが配置された用紙の両端を綴じることを特徴とする請求項６に記載のフォトブック作成装置。
【請求項８】
前記配置手段は、前記用紙の前記分割部の位置に応じて前記画像データを３分割する位置を変えることを特徴とする請求項６または７に記載のフォトブック作成装置。
【請求項９】
前記配置手段は、前記画像データに含まれるオートフォーカス情報に基づいて、前記画像データの合焦している被写体の位置情報を取得し、前記被写体の配置の位置を変更することを特徴とする請求項６から８のいずれか１項に記載のフォトブック作成装置。
【請求項１０】
コンピュータに、請求項１から５のいずれか１項に記載のフォトブック作成方法を実行させるためのプログラム。
【請求項１１】
請求項１０に記載のプログラムが格納されたことを特徴とするコンピュータで読み取り可能な記憶媒体。
【発明の詳細な説明】
【技術分野】
【０００１】
本発明は、フォトブック作成方法、フォトブック作成装置、プログラム、記憶媒体に関するものである。詳しくは、画像データから、視覚効果に優れたフォトブックを作成する方法、フォトブックを作成する装置、フォトブックの作成のためのプログラム、このプログラムが格納された記憶媒体に関するものである。
【背景技術】
【０００２】
近年、デジタルカメラ（デジカメ）の普及に伴い、デジタルカメラの撮影画像が、写真プリントやフォトフレームやＤＶＤなど様々なメディアに加工されて鑑賞されている。また、撮影画像がデジタル情報であるという特性を生かして、撮影画像からフォトブックを作り、写真集として鑑賞する機会が増えている。
たとえば、特許文献１には、撮影者の意図に沿ったページレイアウト（画像の割付やトリミング）を行うフォトブックの記載がある。
特許文献２には、封筒の中央のミシン目を破り開いて封入物（カタログ、パンフレット）を取り出す記載がある。
【先行技術文献】
【特許文献】
【０００３】
【特許文献１】特開２０１２−４４３２１号公報
【特許文献２】特開平８−２９５３４７号公報
【発明の概要】
【発明が解決しようとする課題】
【０００４】
今までのフォトブックでは、様々なページ割付が行え、オリジナリティのある写真集として満足度はある。しかしながら、フォトブックの作成にはコストがかかるので、画像データを電子的に閲覧するだけで満足してしまうユーザも多かった。
本発明は、新たな閲覧スタイルのフォトブックを提供することを目的とする。
【課題を解決するための手段】
【０００５】
上記の目的を達成するため、本発明によるフォトブック作成方法は、画像データからフォトブックを作成するフォトブック作成方法であって、中央部から両側に見開きできる分割部が形成される用紙の表面に、画像を左右に入れ替えずに配置し、前記用紙の裏面に、１つの画像を分割して左右を入れ替えて前記分割部の左右に配置する配置ステップと、を有することを特徴とする。
【発明の効果】
【０００６】
本発明によれば、分割部を切り開いて新しいページを開くという新しい形のフォトブックを作成することができ、また、分割部を切り開くことによる視覚効果を活かすフォトブックの作成方法などを提供することができる。
【図面の簡単な説明】
【０００７】
【図１】本発明の実施形態にかかるフォトブック作成方法によるフォトブックの一例を説明する図である。
【図２】本発明の実施形態にかかるフォトブック作成方法に適用できるフォトブック作成装置の構成例を示すブロック図である。
【図３】本発明の実施形態にかかるフォトブック作成方法によるフォトブックの各ページの、表面、裏面、およびミシン目を切り開いたときのページを見開いた状態を説明する図である。
【図４】本発明の実施形態にかかるフォトブック作成方法の動作を説明するフローチャートである。
【図５】本発明の実施形態にかかるフォトブック作成方法での画像３分割処理を説明するフローチャートである。
【図６】本発明の実施形態にかかるフォトブック作成方法での画像データとフォトブックの用紙の表裏の配置との関係を示す図である。
【発明を実施するための形態】
【０００８】
以下、本発明を実施するための形態について、図面を参照して説明する。なお、以下の説明において、特に断りがない限りは、実施形態の共通部分および類似部分について共通の符号を付し、重複説明を省略する。
【０００９】
図１は、本発明の実施形態にかかる作成方法により作成されるフォトブック１００１の一例を説明する図である。
図１（ａ）は、本発明の実施形態にかかる作成方法により作成されるフォトブック１００１が製本された状態を示す外観図である。フォトブック１００１は、用紙の左右両端が綴じられている（図１（d）参照）。フォトブック１００１の中央部には、分割部としてのミシン目１００２が形成されており、利用者は、このミシン目１００２を切り開くことにより、次のページを左右の両側に見開く構成となっている。図１（ｂ）は、図１（ａ）の状態から、フォトブック１００１のミシン目１００２の左面（左側）１００３が切り開かれた状態を示す外観図である。図１（ｃ）は、図１（ｂ）の状態から、更に、フォトブック１００１のミシン目１００２の右面（右側）１００４が切り開かれた状態を示す図である。図１（ｄ）は、図１（ｃ）の状態から、更に、ミシン目が完全に切り開かれた状態を示す図である。左面１００３と中央面１００６と右面１００４とで、１つの連続した意味のある画像を表示している。
そして、観者は、図１（ｄ）の状態から更に次のミシン目１００２を切り開くことにより、次の画像（ページ）へ進むことができる。
このように、用紙の中央部には、用紙を左右の両側に切り開く（見開く）ための分割部が形成される。分割部としては、たとえばミシン目が適用される。なお、用紙は、中央部から左右の両側に切り開く（見開く）ことができる構成であればよく、分割部としてミシン目が形成される構成に限定されるものではない。たとえば、分割部としては、ミシン目に代えて、用紙の中央部に開口部が形成される構成であってもよい。
尚、ミシン目１００２が切り開かれたときに表示される左面１００３と中央面１００６と右面１００４とからなる１つの連続した意味のある画像とは、例えば、パノラマ画像や、画像とそれに対する解説やコメントを付加したものなどである。
【００１０】
図２は、本発明の実施形態にかかる作成方法を実行できるフォトブック作成装置２００１の構成例を示すブロック図である。フォトブック作成装置２００１は、例えばＣＤやＤＶＤなどの各種の記録メディア２３００やメモリカード２４００などに格納された画像データを取り込み、これを素材としてフォトブック１００１を作成する。
２０１２は、フォトブック作成装置２００１全体を制御するＣＰＵである。
フォトブック作成装置２００１は、マウス、タッチパッド、トラックボールなどのポインティングデバイスやキーボードなどの各種操作デバイスを含む操作部２１００によって操作される。また、操作部２１００は、表示部２２００と一体のタッチスクリーンで構成されても良い。すなわち、ＣＰＵ２０１２は、操作部２１００への操作を検出すると、検出した操作内容に対応付けられた処理や動作を実行する。
２０１１は、記録メディア２３００にデータを読み書きするドライブである。
２０１７は、メモリカード２４００にデータを読み書きするカードスロットである。
２０１３は、読み込まれた画像データや、フォトブック作成装置２００１を制御するプログラムなどが記憶されるハードディスクドライブ（記憶媒体）である。以下、ＨＤＤ２０１３と呼ぶ。尚、ＨＤＤ２０１３は、ハードディスクドライブではなくフラッシュメモリを利用したＳＳＤ（ソリッドステートドライブ）に置き換えても良い。
２０１８はＲＡＭであり、ＣＰＵ２０１２が種々の処理を行う際の作業用メモリとして機能する。
２２００は表示部であり、画像、画像データの一覧、フォトブック作成のための編集用のアプリケーションウィンドウを含むグラフィカルユーザインターフェース等を表示する。
２０１９は通信Ｉ／Ｆであり、インターネットなどのネットワーク２０２０と接続する。
２０２１はバスであり、各構成部を接続する。
【００１１】
ＨＤＤ２０１３には、フォトブック作成装置２００１を制御するためのコンピュータプログラムが格納されている。ＣＰＵ２０１２は、ＨＤＤ２０１３に格納されたコンピュータプログラムを読み出し、ＲＡＭ２０１８を作業領域として用いて実行する。これにより、ＣＰＵ２０１２は、フォトブック作成装置２００１の各部を統括的に制御する。
【００１２】
また、フォトブック作成装置２００１には、プリンタドライバ２０１６を介して、フォトブックを紙に印刷するプリンタ２５００と、本発明の実施形態にかかる作成方法に固有の用紙を製本する製本装置２６００が接続されている。プリンタ２５００には、電子写真方式、インクジェット方式、熱転写方式などの各方式が適用できる。製本装置２６００は、本発明の実施形態にかかるフォトブック作成方法にかかるフォトブック１００１に固有の用紙の左右両端を綴じて製本する機能を備える。用紙は、あらかじめ中央部にミシン目が形成された用紙であってもよい。また、普通紙を用いる場合には、製本装置２６００が、用紙の中央部にミシン目を入れる機構を有していても良い。
【００１３】
カードスロット２０１７は、例えば、コンパクトフラッシュ（登録商標）、スマートメディア、ＳＤカードなどのメモリカード２４００を着脱自在に保持できる。そして、カードスロット２０１７は、メモリカード２４００に記憶された画像データなどの読み込みや、メモリカード２４００への画像データなどの書き込みを行う。これにより、カードスロット２０１７は、例えばデジタルカメラで撮影された画像データを読み込む。なお、フォトブック作成装置２００１は、ドライブ２０１１やカードスロット２０１７の他に、ＵＳＢやＩＥＥＥ１３９４やＷｉＦｉなどの通信ポートを備えていてもよい。そして、フォトブック作成装置２００１は、デジカメやスマートフォンやタブレットＰＣなどの電子機器と、有線または無線で直接通信して、画像データの読み書きを行うことができる構成であっても良い。
【００１４】
ＨＤＤ２０１３には、フォトブック１００１の素材となる複数の画像データの他に、フォトブック１００１の生成の際に画像データと合成する装飾データなどが記憶されている。
フォトブック作成装置２００１がデジタルカメラなどから読み込み可能な画像データとしては、ＲＡＷデータの他、ＪＰＥＧやＴＩＦＦ形式などであり、Ｅｘｉｆフォーマットに対応している。
データ記録部２０１４とフォトブック作成部２０１５は、フォトブック１００１の作成のための画像処理やレイアウト処理を行うプロセッサである。そして、データ記録部２０１４とフォトブック作成部２０１５は、ＣＰＵ２０１２の処理動作を補助する。なお、多少処理が遅くなるものの、データ記録部２０１４とフォトブック作成部２０１５がプロセッサ構成ではなくてもよい。たとえば、ＨＤＤ２０１３などに、データ記録部２０１４とフォトブック作成部２０１５の機能を実現するためのコンピュータプログラムを格納しておく構成であってもよい。そして、ＣＰＵ２０１２がこのコンピュータプログラムを実行することによって、データ記録部２０１４とフォトブック作成部２０１５の機能を実現する構成であっても良い。
【００１５】
図３はフォトブックの印刷面の各ページの表面（ａ）、ミシン目が切り開かれてページを見開いた状態（ｂ）、裏面（ｃ）の印刷イメージを説明する模式図である。図における符号は、同じ数字であれば共通のページであることを示す。また付加された符号「ａ」、「ｂ」「ｃ」は、それぞれ、フォトブック１００１の印刷面の各ページの表面（ａ）、ミシン目が切り開かれときのページを見開いた状態（ｂ）、裏面（ｃ）の状態に対応していることを示すものとする（例：３０１１ａ、３０１１ｂ）。印刷イメージの上部にある「１−表」、「２−裏」は、印刷イメージのそれぞれ１枚目の表面、２枚目の裏面であることを示している。用紙イメージの中央の破線は、ミシン目（図１における１００２と同じもの）を示している。印刷イメージの表面の左上と右下、印刷イメージの裏面の右上と左下にある三角印は、印刷イメージの表裏をわかり易くするための表示である。１枚目の表「１−表」と１枚目の裏「１−裏」で例示すると、「１−表」の印刷イメージ３０１１ａには左上と右下に三角印がある。ミシン目が切り開かれていない状態で、その裏面に当たる「１−裏」の印刷イメージ３０２１ｃ、３０２２ｃでは右上と左下に三角印がある。
【００１６】
次に、各印刷イメージの状態について説明する。
まず、フォトブック１００１の印刷イメージの表面（ａ）について説明する。
印刷イメージ３０１１ａは、用紙の１枚目の表面「１−表」の印刷イメージである。この印刷イメージ３０１１ａには、表紙データ（図中の「表紙」）が配置される。中央の破線は、ミシン目（図１の１００２と同等）である。
印刷イメージ３０１２ａは、用紙の２枚目の表面「２−表」の印刷イメージである。この印刷イメージ３０１２ａには、後述する左右方向に３分割された画像データのうちの中央のデータ（図中の「ＢＣ」）が配置される。中央の破線は、ミシン目（図１の１００２と同等）である。
印刷イメージ３０１３ａは、用紙の３枚目の表面「３−表」の印刷イメージである。この印刷イメージ３０１３ａには、後述する左右方向に３分割された画像データのうちの中央のデータ（図中の「イウ」）が配置される。中央の破線は、ミシン目（図１の１００２と同等）である。
【００１７】
次に、フォトブック１００１の印刷イメージの裏面（ｃ）について説明する。
印刷イメージ３０２１ｃ、３０２２ｃは、中央のミシン目が切り開かれる前の用紙の１枚目の裏面「１−裏」の印刷イメージである。「１−裏」を構成する印刷イメージ３０２２ａ、３０２２ｃには、それぞれ、後述する左右方向に３分割された画像データのうちの両端のデータ（図中の「ＤＡ」）が配置される。これらの印刷イメージ３０２２ａ、３０２２ｃは、フォトブック１００１のミシン目が切り開かれてフォトブック１００１を開いたときに、１つの連続した意味のある画像となるように配置される。これは、後述するフォトブック１００１のミシン目を切り開いたときのページを見開いた状態（ｂ）における印刷イメージ３０２１ｂ、３０１２ｂ、３０２２ｂに対応する。印刷イメージ３０２１ｃ、３０２２ｃと、印刷イメージ３０２１ｂ、３０２２ｂとでは、見た目の配置状態が異なることになる。すなわち、１枚目の裏面「１−裏」には、分割された画像データが、ミシン目の左右に、左右が入れ替えられて配置される。
【００１８】
印刷イメージ３０２３ｃ、３０２４ｃは、中央のミシン目が切り開かれる前の用紙の２枚目の裏面「２−裏」の印刷イメージを示している。「２−裏」の印刷イメージには、後述する左右方向に３分割された画像データのうちの両端のデータ（図中の「エア」）が配置される。これらの印刷イメージ３０２３ｃ、３０２４ｃは、それぞれ、フォトブック１００１のミシン目が切り開かれてフォトブック１００１が開かれたときに、１つの連続した意味のある画像となるように配置される。これは、後述するフォトブック１００１のミシン目が切り開かれたときのページを見開いた状態（ｂ）の印刷イメージ３０２３ｂ、３０１３ｂ、３０２４ｂに対応する。印刷イメージ３０２３ｃ、３０２４ｃと、印刷イメージ３０２３ｂ、３０２４ｂとは、見た目の配置状態が異なることになる。すなわち、２枚目の裏面「２−裏」には、分割された画像データが、ミシン目の左右に、左右が入れ替えられて配置される。
３０２５ｃは３枚目の裏面（３−裏）であり裏表紙データ（図中の「裏表紙」）が配置される。
【００１９】
次に、フォトブック１００１のミシン目が切り開かれたときのページが見開かれた状態（ｂ）について説明する。
印刷イメージ３０１１ｂは、印刷イメージ３０１１ａと同様である。これは図１の（ａ）の状態と同等である。
１枚目の表面「１−表」の中央のミシン目が切り開かれると、１枚目の裏「１−裏」の印刷イメージ３０２１ｂと、２枚目の表「２−表」の印刷イメージ３０１２ｂと、１枚目の裏「１−裏」の印刷イメージ３０２２ｂとが、左右方向に左側から順に並ぶ。そして、これらの印刷イメージが前記のとおり並んだ状態で、画像「ＡＢＣＤ」が「１つの連続した意味のある画像」となることを示している。「１つの連続した意味のある画像」とは、例えば、パノラマ画像や、順番で並べることで意味がある画像（例えばメッセージ画像など）や、画像とそれに対する解説やコメントを付加したもの、などである。例えば画像「ＡＢＣＤ」が並ぶことで形成される１つの画像などである。このほか、例えば、画像「ＢＣＤ」が画像で、その画像に対するコメントが画像「Ａ」に付加されているものなどである。尚、この画像「ＡＢＣＤ」の選択、レイアウト、コメントの付加は、使用者が、フォトブック作成装置２００１の操作部２１００に対して行う（図２参照）。フォトブック作成装置２００１のＣＰＵ２０１２は、使用者による操作部２１００の操作に応じて、画像「ＡＢＣＤ」の選択、レイアウト、コメントの付加を行う。
【００２０】
図１（ａ）から図１（ｄ）の状態まで遷移したものが、図３の印刷イメージ３０１１ｂから、印刷イメージ３０２１ｂ、３０１２ｂ、３０２２ｂが並ぶ状態へ遷移したものに対応する。１つの連続した意味のある画像「ＡＢＣＤ」は、真ん中の画像「ＢＣ」と両端の画像「Ａ」と「Ｄ」に左右方向に３分割される。そして、３分割された画像「Ａ」「ＢＣ」「Ｄ」は、ミシン目が切り開かれたときに１つの連続した意味のある画像「ＡＢＣＤ」となるように配置される。すなわち、２枚目の表面「２−表」に、中央の画像「ＢＣ」が配置され、１枚目の裏面「１−裏」に端の画像「Ａ」と「Ｄ」が配置される。なお、左右方向に３分割された画像のうちの両端の画像「Ａ」と「Ｄ」は、用紙のミシン目の左右に、見開かれた状態とは左右を入れ替えられて配置される。
【００２１】
印刷イメージ３０２１ｂ、３０１２ｂ、３０２２ｂが左右方向に並ぶ状態から、更に印刷イメージ３０１２ｂの中央のミシン目を切り開くと、印刷イメージ３０２３ｂ、３０１３ｂ、３０２４ｂが左右方向に並ぶ状態となる。すなわち、２枚目の裏「２−裏」の印刷イメージ３０２３ｂと、３枚目の表「３−表」の印刷イメージ３０１３ｂと、２枚目の裏「２−裏」の印刷イメージ３０２４ｂとが、左右方向に前記記載の順に左側から並ぶ状態である。そして、これらが左右方向に並んだ画像「アイウエ」が、１つの連続した意味のある画像であることを示している。
１つの連続した意味のある画像「アイウエ」は、後述する画像の３分割処理により、中央の画像「イウ」と、両端の画像「ア」と「エ」とに左右方向に３分割される。そして、これらの画像は、ミシン目が切り開かれたときに１つの連続した意味のある画像「アイウエ」となるように配置される。すなわち、３枚目の表面「３−表」に真ん中の画像「イウ」が配置され、２枚目の裏面「２−裏」に両端の画像「ア」と「エ」が配置されている。裏面（ｃ）における２枚目の裏面「２−裏」の印刷イメージ３０２３ｃ、３０２４ｃは、ミシン目が切り開かれたイメージ（ｂ）における印刷イメージ３０２３ｂ、３０２ｃと、見た目の画像の配置が異なることになる。すなわち、左右方向に３分割された画像のうちの両端の画像「エ」と「ア」は、用紙のミシン目の左右に、見開かれた状態とは左右を入れ替えられて配置される。
【００２２】
なお、図３では、３枚の表面、裏面の印刷イメージ、即ち、表紙、裏表紙を含む２つ（「ＡＢＣＤ」と「アイウエ」）の画像で説明したが、印刷イメージの枚数は限定されない。これよりも枚数の多い場合であっても良い。
【００２３】
次に、本発明の実施形態にかかるフォトブック作成方法について、図４などを参照して説明する。図４は、本発明の実施形態にかかるフォトブック作成方法の動作を説明するフローチャートである。なお、各ステップの動作の主体は、フォトブック作成装置２００１である。すなわち、フォトブック作成装置２００１全体を制御するＣＰＵ２０１２が各ステップの動作を行う。この動作を行うためのコンピュータプログラムは、あらかじめＨＤＤ２０１３（記憶媒体）に格納されている。そして、ＣＰＵ２０１２がＨＤＤ２０１３（記憶媒体）からこのコンピュータプログラムを読み出し、ＲＡＭ２０１８に展開して実行する。これにより、図４のフローチャートに示す動作が実現する。
【００２４】
Ｓ４０１は、フォトブック作成に係る処理を開始する。なお、この処理の開始にあたり、あらかじめ使用者等によって、フォトブック１００１の作成に使用する画像データが選択されており、選択された画像データがＨＤＤ２０１３などに格納されているものとする。
【００２５】
Ｓ４０２では、フォトブック１００１の作成に使用する画像データの情報（サイズ、枚数、オートフォーカス情報など）を取得する。これらの情報は、画像データのＥｘｉｆ情報や、フォトブック作成装置２００１に対する使用者の設定などから取得する。また、フォトブック１００１のページ数をカウントするカウンタＸの値を初期化する。
【００２６】
Ｓ４０３では、取得した画像データの枚数から、レイアウト後のフォトブック１００１の枚数（ページ数）を設定する。
【００２７】
Ｓ４０４では、カウンタＸの値をカウントアップする。
【００２８】
Ｓ４０５では、画像データから取得したオートフォーカス情報から、被写体位置情報を取得する。このオートフォーカス情報は、撮影時に画像中のどの座標位置に合焦するように制御されたかを示すものであり、画像データのＥｘｉｆ情報に含めることが可能な情報である。
【００２９】
Ｓ４０６では、画像の３分割処理を行う。この画像３分割処理は、図３を参照して説明したとおり、左右方向に順に並べられると「１つの連続した意味のある画像」を構成する３つの画像を生成する処理である。具体的には、２枚目に関しては、画像「Ａ」と画像「ＢＣ」と画像「Ｄ」を生成する処理である。３枚目に関しては、画像「ア」と画像「イウ」と画像「エ」を生成する処理である。
【００３０】
Ｓ４０７では、Ｓ４０６における画像３分割処理の結果に基づいて、用紙の表面の画像データの配置を行う。図３に示す例では、表紙の印刷イメージ３０１１ａ、３０１１ｂ、２枚目の画像「ＢＣ」の印刷イメージ３０１２ａ、３０１２ｂ、３枚目の画像「イウ」の印刷イメージ３０１３ａ、３０１３ｂを、それぞれのページの表面に配置する処理である。
【００３１】
Ｓ４０８では、Ｓ４０６の画像３分割処理の結果に基づいて、用紙の裏面の画像データの配置を行う。図３に示す例では、画像「Ａ」「Ｄ」の印刷イメージ３０２１ｂ、３０２２ｂ、３０２１ｃ、３０２２ｃを、１枚目の裏面に配置する。画像「ア」「エ」の印刷イメージ３０２３ｂ、３０２４ｂ、３０２３ｃ、３０２４ｃを２枚目の裏面に配置する。裏表紙の印刷イメージ３０２５ｃを、３枚目の裏面に配置する。この処理においては、各印刷イメージを、ミシン目の左右に、ページが見開かれた状態から左右を入れ替えて配置する。
【００３２】
Ｓ４０９では、カウンタＸの値を、Ｓ４０３で設定したフォトブック１００１のページ数と比較する。カウンタＸの値がページ数より小さければ、まだフォトブック１００１の作成途中と判定してＳ４０４へ戻る。カウンタＸの値がレイアウト枚数と同じか大きければ、フォトブック１００１の作成に必要な枚数の画像の処理が終了したと判断してＳ４１０へ進む。
【００３３】
Ｓ４１０では、フォトブック作成の処理を終了する。
【００３４】
図５は、本実施形態にかかるフォトブック作成方法における画像３分割処理を説明するフローチャートである。なお、各ステップの動作の主体は、フォトブック作成装置２００１である。すなわち、フォトブック作成装置２００１全体を制御するＣＰＵ２０１２が、この動作を行う。この動作を行うためのコンピュータプログラムは、あらかじめＨＤＤ２０１３（記憶媒体）に格納されている。そして、ＣＰＵ２０１２がＨＤＤ２０１３（記憶媒体）からこのコンピュータプログラムを読み出し、ＲＡＭ２０１８に展開して実行する。これにより、図５のフローチャートに示す動作が実現する。
【００３５】
Ｓ５０１では、画像の３分割処理を開始する。
Ｓ５０２では、Ｓ４０５で取得した画像のオートフォーカス情報から、画像データにおける被写体１００５（合焦している被写体１００５）の位置情報を取得する。この合焦している被写体１００５の位置情報は、Ｅｘｉｆに記録されているオートフォーカス情報から算出する。ただし、合焦している被写体１００５の位置情報がＥｘｉｆに直接書き込まれている場合には、Ｅｘｉｆからこの情報を直接に読み出す構成であってもよい。
Ｓ５０３では、プリンタ２５００にセットされている用紙の情報から、ミシン目の位置情報を取得する。なお、予めミシン目が入っている用紙を利用する場合は、用紙固有の規定値を取得する。この用紙の情報は、あらかじめＨＤＤ２０１３などにコンピュータ読取り可能な形式で格納されているものとする。また、ミシン目が入っていない用紙を利用し、製本装置２６００でミシン目を入れる場合には、プリンタ２５００または製本装置２６００に設定されているミシン目の位置情報を、プリンタ２５００または製本装置２６００から取得する。
【００３６】
Ｓ５０４では、Ｓ５０２で取得した合焦している被写体１００５の位置情報と、Ｓ５０３で取得したミシン目位置情報とに基づいて、画像の３分割処理を行う。この３分割処理の結果の印刷イメージは、図３を参照して説明した通りである。すなわち、印刷イメージ３０２１ｂ、３０１２ｂ、３０２２ｂを例に示すと、これらの印刷イメージ３０２１ｂ、３０１２ｂ、３０２２ｂを、ミシン目が切り開かれてページを左右両側に見開いた状態のときに、１つの連続した意味のある画像となるように配置する。画像「ＡＢＣＤ」の例では、画像「ＡＢＣＤ」を、中央の画像「ＢＣ」と両端の画像「Ａ」と「Ｂ」に左右方向に３分割する。ここでは、画像のサイズを用紙のページサイズに合わせて分割し、必要に応じて画像サイズの拡大や画像の移動を行う。
印刷イメージ３０１２ｂの「２−表」の面に着目すれば、例えば、本処理において元画像データ「Ｂ」または「Ｃ」がミシン目にかかっていると判断されたとする。この場合には、ミシン目に画像がかからないように、画像の拡大や画像の移動を行って画像の分割と配置を行う。両端の分割された画像「Ａ」「Ｂ」については、ミシン目を切り開いてページを見開いた状態の印刷イメージ３０２１ｂ、３０２２ｂの状態で１つの連続した意味のある画像となるように配置する。すなわち、「１−裏」の面においては、印刷イメージ３０２１ｃと３０２２ｃに示すように、見た目上の画像の配置である印刷イメージ３０２１ｂと３０２２ｃとは、左右が反転した位置に配置される。
【００３７】
なお、Ｓ５０４においては、作成に使用する画像データにおいて、重要な被写体１００５が写っている部分が分割されないように（複数の画像に跨らないように）、３分割処理を行う。たとえば、作成に使用する画像データのうちの合焦している部分に、重要な被写体１００５が写っていると判定する。そこで、合焦している部分が分割されないように、被写体１００５とミシン目１００２の位置関係を変更する。そして、３分割処理に分割した３つの画像を、合焦している部分がミシン目にかからないように配置する。前記のとおり、画像データから取得したオートフォーカス情報と、ミシン目の位置情報とから、画像データの分割の位置と、分割した画像の配置の位置を設定（変更）する。
【００３８】
図６は、画像データのメモリマップとフォトブック１００１の用紙の表裏の配置との関係を模式的に示す図である。
６００１〜６０１８は、フォトブック作成用の画像データのメモリマップであり、フォトブック作成装置２００１のＨＤＤ２０１３またはＲＡＭ２０１８に記憶される。１セットの画像データは、画像ＩＤ、画像データ、付加データからなる。つまり、６００１〜６００３、６００４〜６００６、６００７〜６００９、６０１０〜６０１２、６０１３〜６０１５、６０１６〜６０１８のそれぞれが１セットの画像データである。これらの各セットの画像データは、基本的に同じ構成である。ここでは、１セットの画像データ６００１〜６００３について説明する。
６００１は画像ＩＤであり、６００２は画像データ「表紙」であり、６００３は付加データである。フォトブック作成装置２００１のＣＰＵ２０１２は、画像ＩＤ６００１により、フォトブック１００１の何枚目の表裏面に配置される画像かを判断できる。
６００２は、画像ＩＤ６００１で紐付けられた画像データである。画像データ６００２には、画像データ「表紙」が格納されている。
６００３は付加データであり、画像データ６００２の付加データである。付加データ６００２は、例えば画像データ６００２のＥｘｉｆ情報や、フォトブック作成装置２００１上で設定された画像データ６００２に対する付加データなどである。
以下、６００４〜６００６以降のセットも同じ構成である。このため異なる部分のみを説明する。画像データ６００５には、画像データ「ＡＢＣＤ」が格納される。画像データ６００８には、画像データ「アイウエ」が格納される。画像データ６０１１には、画像データ「１２３４」が格納される。画像データ６０１４には、画像データ「○△□×」が格納される。画像データ６０１７には、画像データ「裏表紙」が格納される。
【００３９】
６０１９〜６０２４は、メモリマップ６００１〜６０１８の画像データの各セットと、図３に示す印刷イメージとの対応関係を説明している。なお、図３との対応関係において、画像データセット６０１０〜６０１２、６０１３〜６０１５は存在していないが、本図では、３枚以上の枚数が存在しても良いことを説明するためのメモリマップ構成としている。
【００４０】
６０１９は、画像データセット６００１〜６００３が、表紙を示すフラグＦを持ち、Ｍ＝１（すなわち１枚目）であり、１枚目の表面に対応する画像データであり、画像は「表紙」であることを示している。表紙（Ｆ）であること、および１枚目表面に配置されることは、ＣＰＵ２０１２が画像ＩＤ６００１から判別し、ＲＡＭ２０１８やＨＤＤ２０１３に記憶される。なお、Ｍは、用紙の枚数、すなわち図４の説明におけるレイアウト枚数である。
【００４１】
６０２０は、画像データセット６００４〜６００６に対応する。そして、６０２０は、画像データ「ＡＢＣＤ」６００５が、画像の３分割の結果、Ｍ＝１かつ１枚目の裏面に画像「ＤＡ」が配置され、Ｍ＝２かつ２枚目表面に画像「ＢＣ」が配置されることを示している。この関係は、ＣＰＵ２０１２が画像ＩＤ６００４から判別し、ＲＡＭ２０１８やＨＤＤ２０１３に記憶される。なお、Ｍは、用紙の枚数、すなわち図４の説明におけるレイアウト枚数である。
【００４２】
６０２１は、画像データセット６００７〜６００９に対応する。６０２１は、画像データ「アイウエ」６００８が、画像の３分割の結果、Ｍ＝２かつ２枚目の裏面に画像「エア」が配置され、Ｍ＝３かつ３枚目表面に画像「イウ」が配置されることを示している。この関係は、ＣＰＵ２０１２が画像ＩＤ６００７から判別し、ＲＡＭ２０１８やＨＤＤ２０１３に記憶される。
【００４３】
６０２２は、画像データセット６０１０〜６０１２に対応する。６０２２は、画像データ６０１１「１２３４」が、画像の３分割の結果、Ｍ＝３かつ３枚目の裏面に画像「４１」が配置され、Ｍ＝４かつ４枚目表面に画像「２３」が配置されることを示している。この関係は、ＣＰＵ２０１２が画像ＩＤ６０１０から判別し、ＲＡＭ２０１８やＨＤＤ２０１３に記憶される。
【００４４】
６０２３は、画像データセット６０１３〜６０１５に対応する。６０２３は、画像データ６０１４「○△□×」が、画像の３分割の結果、Ｍ＝ｎかつｎ枚目の裏面に画像「×○」が配置され、Ｍ＝ｎ＋１かつｎ＋１枚目表面に画像「△□」が配置されることを示している。この関係は、ＣＰＵ２０１２が画像ＩＤ６０１３から判別し、ＲＡＭ２０１８やＨＤＤ２０１３に記憶される。
【００４５】
６０２４は、画像データセット６０１６〜６０１８が、裏表紙を示すフラグＲを持ち、Ｍ＝ｎ＋１枚目であり、ｎ＋１枚目の裏面に対応する画像データであり、画像は「裏表紙」であることを示している。
【００４６】
本実施形態によれば、ミシン目を切り開いて新しいページを開くフォトブックにおいて、ページを見開いた状態で１つの連続した意味のある画像を表示することができる。このため、ミシン目を切り開くことによる視覚効果を活かすフォトブックの作成方法を提供することが可能となる。
【００４７】
＜その他の実施形態＞
本発明は、たとえば、システム、装置、方法、プログラムもしくは記憶媒体等としての実施態様をとることが可能である。具体的には、複数の機器から構成されるシステムに適用してもよいし、また、一つの機器からなる装置に適用してもよい。
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【図１】
2014208415.tif 000003
【図２】
2014208415.tif 000004
【図３】
2014208415.tif 000005
【図４】
2014208415.tif 000006
【図５】
2014208415.tif 000007
【図６】
2014208415.tif 000008